(57)【要約】【課題】  従来のＪＩＳ配列の日本語キーボードでは文字が小さく見えにくかったが、ローマ字入力用の英字を大きくしたキーボードでは弱視等の視覚障害者には文字が見えやすいが、高齢者で老眼の方や視力が正常な方にはキーボードを見ると文字がまぶしくて眼が痛くなり眼が疲れてしまう欠点があった。【解決手段】  キートップ上面に表示される英字の大きさが、キートップ上面の面積の５０％以上に拡大された英字の色を、白黒比で黒色が20%から60%の間の色としたキートップ。 【選択図】図１
2007264977.tif 000002
【特許請求の範囲】
【請求項１】
キートップ上面に表示される英字の大きさが、キートップ上面の面積の５０％以上に拡大表示された英字の色を、黒色を１００％とし、白色を０％とした場合、白黒比で黒色が２０％ないし６０％の間の色としたキートップ。
【請求項２】
キートップ上面に表示される文字が赤、青、緑の３原色の配合により決定される白、黒あるいは灰色以外の文字色において、この３原色の配合により決定される文字色を白黒に色変換したとき、白黒比で黒色が２０％ないし６０％の間の色である事を特徴とする請求項１記載のキートップ。
【発明の詳細な説明】
【技術分野】
【０００１】
この発明は、視覚障害者や老眼鏡使用の方の便を図るために、英字が拡大表示されたキーボードに関するものである。
【背景技術】
【０００２】
従来のＪＩＳ配列の日本語キーボードではキートップ１上面に図９に示されるように、英字２、かな、ないし記号など複数の文字と記号が表示されているが、ローマ字で入力する場合はかな文字は不用であり、図１０や図１１のような英字が拡大表示されたキートップ1で構成されたキーボード7は図１２や図１３があり、かな文字を省いて英字のみを大きく表示した視覚障害者向けのキーボード７がある。
【特許文献１】特許公開平１０−９１３０６号公報
【発明の開示】
【発明が解決しようとする課題】
【０００３】
しかしながら、一般的なＪＩＳ配列の日本語キーボードでは文字が小さく見えにくく、視覚障害者や老眼鏡使用の方には使用が困難であった。
また、図１２又は図１３の英字をキートップ１上面に大きく表示したキーボード７の場合、黒色のキートップ1に白色１００％の英字３、又は、白色のキートップ１に黒色１００％の英字４が拡大表示してある場合は、文字と背景との色のコントラストの差が大きいため、視覚障害者には文字が見えやすい。
【０００４】
しかし、老眼鏡使用の方や視力が正常な方には一つ一つのキートップ１の文字は見やすいが、これを使用すると、キートップ１が約１００個以上並んでいるためキーボード７の文字を長く眺めていると眼が痛くなったり、眼が疲れたりしてくる。これは、文字が大きい為、文字色が明るく、図１２のようにキートップ１の色が暗い場合、キートップ１を複数個並べたキーボード７では明、暗、と順次キートップ１が並んでいるため、文字を探すなどして長時間キーボード７を眺めていると文字が眩しく光って見えるため眼が疲れてきたり、痛くなったりする。
【０００５】
そこで、この発明は英字が大きく表示されたキーボード７のキートップ１上面の文字を眺めていても眼が疲れないような、文字色にしたキーボード７を提供することを課題とする。
【課題を解決するための手段】
【０００６】
以上の課題を解決するために、第一発明は、キートップ上面に表示される英字の大きさが、キートップ上面の面積の50%以上に拡大表示された英字の色を、黒色を１００％とし、白色を0%とした場合、白黒比で黒色が２０％ないし６０％の間の色としたことを特徴とするキートップである。
【０００７】
また、第二発明は、キートップ上面に表示される文字が赤、青、緑の３原色の配合により決定される白、黒あるいは灰色以外の文字色において、この３原色の配合により決定される文字色を白黒に色変換したとき、白黒比で黒色が２０％ないし６０％の間の色である事を特徴とするキートップである。
【発明の効果】
【０００８】
第一発明、または第二発明によれば、文字色を白黒比で黒色を２０％から６０％の間の色の比率としたため、キーボードに配列されるキートップの文字全体を見ていても眼が疲れず、且つ英字が大きいため、文字が眩しく見えず、文字色が若干薄い色であっても容易に文字を探して入力する事が出来る。
【０００９】
また、文字色とキートップの色のコントラストが高い図１０、図１１のようなキートップを使用した、図１２、図１３のキーボードでは、弱視等の視覚障害者には文字が見えやすいが、高齢者で老眼の方や視力が正常な方にはキーボードを見ると文字が眩しく見え眼が痛くなり眼が疲れてしまう。本発明により老眼の方や視力が正常な方一般の方にも眼が疲れないキーボードとなる。
【発明を実施するための最良の形態】
【００１０】
この発明の一実施形態を、図１に示す。
キートップ１上面に表示される英字５の大きさが、キートップ１上面の面積の50%以上に拡大表示された白黒比で黒色が２０％の色としたキートップ１でありこのキートップ１を実装したキーボード７は図４である。
図２は黒色のキートップ１に白黒比で黒色が６０％の英字６で表示してあり、このキートップを実装したキーボード７は図５である。
図３は白色のキートップ１に白黒比で黒色が６０％の英字６で表示してあり、このキートップを実装したキーボード７は図６である。
【実施例１】
【００１１】
図７は文字の色の濃さと背景の色との見えやすさを表す図であり、英字を背景を黒色又は白色の上に、白黒比で黒色の濃度を左から10%づつ順次濃くして表示した図である。
これによれば文字の黒色の濃度が２０％から６０％の間の場合、文字が背景色にまぎれることなく、かつ、眼が疲れず見やすい。
また、文字の黒色の濃度が２０％から６０％以外の場合は、キートップ１の色を変える事により同等の効果があり、キートップ１の色を白黒比で順次黒色90%、80%、70%とした場合、文字の色をそれぞれ順に70%、80%、90%の黒色としても同様な効果がある。また、先の数値の中間の%の色の場合は先の色比によって決定される。
また、キートップの色を白黒比で黒色10%、とした場合、文字の色を10%としても見えやすい。
【実施例２】
【００１２】
図８の表は実施例２のキートップ上面に表示される文字が赤、青、緑の３原色の配合により決定される白、黒あるいは灰色以外の文字色において、この３原色の配合により決定される文字色を白黒に色変換したときの黒色の割合を示す表である。これはカラーの場合色の組み合わせが無限にあるため白黒に変換する事により文字の見えやすさがわかる。
【００１３】
たとえば赤色は赤色１００％、緑色0%、青色0%で表現される色であり、これを白黒写真で写したように、白黒に色変換すると白黒比で黒色が70%の色となる。他の色も同様に白黒で表す事が出来る。
【図面の簡単な説明】
【００１４】
【図１】この発明の一実施形態を示す図であり、キートップの色を黒色とし、英字を拡大し白黒比で黒色２０％としたキートップである。
【図２】キートップの色を黒色とし、英字を拡大し白黒比で黒色６０％としたキートップである。
【図３】キートップの色を白色とし、英字を拡大し白黒比で黒色６０％としたキートップである。
【図４】キートップの色を黒色とし、英字を拡大し白黒比で黒色２０％としたキーボードの図である。
【図５】キートップの色を黒色とし、英字を拡大し白黒比で黒色６０％としたキーボードの図である。
【図６】キートップの色を白色とし、英字を拡大し白黒比で黒色６０％としたキーボードの図である。
【図７】文字の色の濃さと背景の色との見えやすさを表す図である。
【図８】白黒以外の色を白黒で表したときの%を示す図である。
【図９】ＪＩＳ規格の日本語キーボードの「Ａ」を示すキートップの図である。
【図１０】英字を拡大表示したキートップで、キートップの色を黒色とし、文字色を白黒比で白色１００％とした図である。
【図１１】英字を拡大表示したキートップで、キートップの色を白色とし、文字色を白黒比で黒色１００％とした図である。
【図１２】英字を拡大表示したキーボードで、キートップの色を黒色とし、文字色を白色１００％とした図である。
【図１３】英字を拡大表示したキーボードで、キートップの色を白色とし、文字色を黒色１００％とした図である。
【符号の説明】
【００１５】
１  キートップ
２  日本語JISキートップに表示されるA字
３  白色１００％で拡大表示された英字
４  黒色１００％で拡大表示された英字 
５  白黒比で黒色２０％で拡大表示された英字
６  白黒比で黒色６０％で拡大表示された英字
７  キーボード
【図１】
2007264977.tif 000003
【図２】
2007264977.tif 000004
【図３】
2007264977.tif 000005
【図４】
2007264977.tif 000006
【図５】
2007264977.tif 000007
【図６】
2007264977.tif 000008
【図７】
2007264977.tif 000009
【図８】
2007264977.tif 000010
【図９】
2007264977.tif 000011
【図１０】
2007264977.tif 000012
【図１１】
2007264977.tif 000013
【図１２】
2007264977.tif 000014
【図１３】
2007264977.tif 000015